(57)【要約】【課題】逆流を抑制することが可能なポンプケーシング及びポンプを提供する。【解決手段】  本発明の一形態にかかるポンプケーシングは、ポンプ室を形成する第１の凹部、前記第１の凹部の外周に配されるとともに段差を有する第１の嵌合部、及び前記第１の嵌合部に配される第１の固定部、を備える第１のケース体と、前記第１のケース体に対向配置され、ポンプ室を形成するとともに外周の少なくとも一部が前記第１の凹部の外周に接合される第２の凹部、前記第２の凹部の外周に配されるとともに前記第１の嵌合部に係合する第２の嵌合部、及び前記第２の嵌合部に設けられ前記第１の固定部に固定される第２の固定部と、を備える第２のケース体、を備える。【選択図】図２
2020002893.tif 000002
【特許請求の範囲】
【請求項１】
ポンプ室を形成する第１の凹部、前記第１の凹部の外周に配されるとともに段差を有する第１の嵌合部、及び前記第１の嵌合部に配される第１の固定部、を備える第１のケース体と、
前記第１のケース体に対向配置され、ポンプ室を形成するとともに外周の少なくとも一部が前記第１の凹部の外周に接合される第２の凹部、前記第２の凹部の外周に配されるとともに前記第１の嵌合部に係合する第２の嵌合部、及び前記第２の嵌合部に設けられ前記第１の固定部に固定される第２の固定部、を備える第２のケース体と、
を備えるポンプケーシング。
【請求項２】
前記第１のケース体及び前記第２のケース体は樹脂製であり、
前記第１の嵌合部は上方に凸となる第１の合わせ面を有するとともに、前記第１の固定部は前記第１の嵌合部の前記第１の合わせ面から下方に突出する突起を有し、
前記第２の嵌合部は上方に凸となる第２の合わせ面を有するとともに、前記第２の固定部は、前記第２の合わせ面に形成され前記突起が挿入される孔部である請求項１に記載のポンプケーシング。
【請求項３】
前記ポンプ室の外周において、前記第１のケース体の周壁部と前記第２のケース体の周壁部が互いに接合され、
前記ポンプ室は、円形の収容部と前記収容部から延出する吐出路とを有する渦巻き状に構成され、前記周壁部から前記収容部と前記吐出路との間の前記渦巻きの巻始めの部位に向けて延びる水切部を有し、
前記第１の嵌合部及び前記第２の嵌合部は前記水切部に設けられる、請求項１または請求項２に記載のポンプケーシング。
【請求項４】
前記第１の固定部と前記第２の固定部とは超音波溶接により溶着される請求項１乃至請求項３のいずれか１項に記載のポンプケーシング。
【請求項５】
前記第１の固定部と前記第２の固定部とは締結により固定される請求項１乃至請求項３のいずれか１項に記載のポンプケーシング。
【請求項６】
請求項１乃至５のいずれか１項に記載のポンプケーシングと、
前記ポンプケーシング内に配されるインペラと、
前記インペラに接続される回転軸を有するモータと、を備える
ポンプ装置。
【発明の詳細な説明】
【技術分野】
【０００１】
本発明は、ポンプケーシング及びポンプ装置に関する。
【背景技術】
【０００２】
液体を圧送する手段として、モータと、モータにより駆動されるポンプと、を備えるポンプ装置が知られている。このようなポンプ装置は、内部にポンプ室を有するポンプケーシングを備え、ポンプ室に収容されるインペラをモータにより回転駆動することで、液体を増圧して二次側に圧送する（例えば、特許文献１参照。）。
【先行技術文献】
【特許文献】
【０００３】
【特許文献１】特許第３６６１８２０号公報
【発明の概要】
【発明が解決しようとする課題】
【０００４】
ポンプケーシングは、例えば、ポンプ室を形成する凹部を有する一対の樹脂製のケーシング体の外周縁同士が溶着されて構成される。このようなポンプケーシングにおいて、ポンプ室とポンプケーシングの形状によっては、溶着部位となるポンプケーシングの外周縁と、ポンプ室の縁部との間が、離れている場合がある。このため、溶着部位であるポンプケーシングの外周縁とポンプ室の周縁との間の領域に、凹凸を有する嵌合部を形成し、一対のケーシング体を嵌合することで組付け強度を向上する構成も知られている。しかしながら、流体の圧力等によりケーシング体が変形するなどの理由で、一対のケーシング体の間に隙間ができ、液体が逆流する場合がある。
【０００５】
そこで、本発明は、逆流を抑制することが可能なポンプケーシング及びポンプ装置を提供することを目的とする。
【課題を解決するための手段】
【０００６】
本発明の一形態にかかるポンプケーシングは、ポンプ室を形成する第１の凹部を有し、前記第１の凹部の外周に配されるとともに段差を有する第１の嵌合部と、前記第１の嵌合部に配される第１の固定部と、を備える第１のケース体と、前記第１のケース体に対向配置され、ポンプ室を形成するとともに外周の少なくとも一部が前記第１の凹部の外周に接合される第２の凹部を有し、前記第２の凹部の外周に配されるとともに前記第１の嵌合部に係合する第２の嵌合部と、前記第２の嵌合部に設けられ前記第１の固定部に固定される第２の固定部と、を備える第２のケース体と、を備える。
【０００７】
本発明によれば逆流を抑えるポンプケーシング及びポンプ装置を提供することが可能となる。
【図面の簡単な説明】
【０００８】
【図１】本発明の一実施形態に係るポンプ装置の構成を一部断面で示す説明図。
【図２】同ポンプ装置のポンプケーシングの上ケース体の構成を示す斜視図。
【図３】同上ケース体の構成を示す下面図。
【図４】同ポンプケーシングの下ケース体の構成を示す斜視図。
【図５】同ポンプケーシングの下ケース体の構成を示す上面図。
【図６】同ポンプケーシングの一部を示す断面図。
【図７】同ポンプケーシングの一部を示す斜視図。
【発明を実施するための形態】
【０００９】
以下、本発明の一実施の形態に係るポンプ装置１を、図１乃至図６を用いて説明する。図１は本発明の一実施の形態に係るポンプ装置１の構成を一部断面で示す説明図である。図２はポンプケーシングの上ケース体の斜視図、図３は上ケース体の下面図である。図４は下ケース体の斜視図、図５は下ケース体の上面図である。図６はポンプケーシングの一部の、図５におけるＶＩ―ＶＩ線に沿う断面図である。図７は同ポンプケーシングの上ケース体と下ケース体を組付けた状態を示す斜視図である。なお、説明のため、各図において適宜構成を省略して示している。
【００１０】
図１に示すように、ポンプ装置１は、モータ１０と、軸封装置１１と、ポンプ部１２と、を備える。例えばポンプ装置１は、水槽等に設置されて水を移送する、所謂水中ポンプと呼ばれる排水ポンプである。ポンプ装置１は、例えばその回転軸１０ｂの軸方向が鉛直方向に沿って上下に延びる姿勢で縦置きされている。
【００１１】
モータ１０は、固定子及び回転子を収容するモータケーシング１０ａと、回転子に接続されモータケーシング１０ａの外方に突出する回転軸１０ｂと、を備える。
【００１２】
軸封装置１１は、回転軸１０ｂの外周に配されるメカニカルシールやメカニカルシールを収容するシールケーシングを備え、モータ１０、ポンプ部１２及び回転軸１０ｂ間を液密に仕切る。
【００１３】
ポンプ部１２は、モータ１０の下方に配置され、回転軸１０ｂの先端部に取付けられるインペラ２１と、インペラ２１を収容する樹脂製のポンプケーシング２２と、を備える。
【００１４】
インペラ２１は、例えばオープンタイプの羽根車であり、円盤状のシュラウド２１ａと、
羽根２１ｂと、を備える。
【００１５】
羽根２１ｂは、シュラウド２１ａの中心からの径が各位置で異なる形状、例えば渦巻形状やインボリュート形状に形成されている。
【００１６】
ポンプケーシング２２は、ケーシングカバー２３、ケーシングカバー２３の下に配置されるとともに吐出口３１ｂを有する第１のケース体としての上ケース体２４、吸込口４１ａを有する第２のケース体としての下ケース体２５、及びストレーナ２６、を備える。ポンプケーシング２２の内部の上ケース体２４と下ケース体２５との間にインペラ２１を収容するポンプ室２７が形成される。
ポンプ室２７は、中央下部の吸込口４１ａに連通する円形のインペラ収容部２７ａと、インペラ収容部２７ａの一端から接線方向に延び吐出口３１ｂに至る流路を形成する吐出路部２７ｂ（吐出路）と、を有し、渦巻き状に構成されている。
【００１７】
ケーシングカバー２３は、中心部に開口２３ａを有する円形状のカバー壁２３ｂと、カバー壁２３ｂの外周縁から下方に延出する周壁部２３ｃと、を一体に備える。ケーシングカバー２３は、カバー壁２３ｂが軸封装置１１を介して回転軸１０ｂの外周部に装着され、周壁部２３ｃが上ケース体２４に接合され、インペラ２１の裏側を覆う。
【００１８】
上ケース体２４は、樹脂成形により一体に形成され、上壁部３１と、上壁部３１の外周縁から下方に延出される周壁部３２と、周壁部３２の一部から内方に延出する水切部３３と、周壁部３２の一部から外方に延出するフランジ部３４と、フランジ部３４と周壁部３２とを連結する一対の連結ビーム３５と、を備える。上ケース体２４は、上側に凹む第１の凹部としての凹部３６を有する。
【００１９】
上壁部３１には、上壁部３１を軸方向に貫通する貫通孔であるインペラ開口部３１ａ及び吐出口３１ｂが形成されている。
【００２０】
インペラ開口部３１ａは、回転軸を中心とした円形の開口である。インペラ開口部３１ａ内にインペラ２１が回転可能に配される。
【００２１】
吐出口３１ｂは、インペラ開口部３１ａの側方に離間して配される円形の開口であり、インペラ開口部３１ａよりも小径に構成されている。吐出口３１ｂには、フランジ部３４を介して、外部へと連通する吐出配管が接続される。
【００２２】
周壁部３２は、インペラ開口部３１ａの外周において一方側に開口する円弧状の曲線と、吐出口３１ｂの外周において他方側に開口する円弧状の曲線と、これらの円弧状の両端同士を連続する一対の直線と、を有する形状に構成され、その全周が超音波溶接により下ケース体２５の周壁部４２に接合されている。また、周壁部３２のインペラ開口部３１ａの外周の複数箇所には、外方に突出し、例えばボルト等の締結部材によってケーシングカバー２３に締結される締結片３７が、一体に形成されている。
【００２３】
水切部３３は、凹部３６の外周に配され、周壁部３２の一部から吸込口４１ａと吐出口３１ｂの間のボリュートの巻始めの位置に向けて突出する三角形状に構成されている。水切部３３は上に凸となる段差を有する第１の嵌合部としての嵌合部３３ａを有する。
【００２４】
嵌合部３３ａの下側の面は下ケース体２５と重ね合わされる第１の合わせ面Ｆ１を構成する。第１の合わせ面Ｆ１は凹凸形状を有し、軸方向に直交する三角形の平面状の下面部とその下面部の外周縁から下方に湾曲する曲面状の内周面とを連続して有する。第１の合わせ面Ｆ１には、第１の固定部としての固定突起３３ｂが形成されている。
【００２５】
固定突起３３ｂは、対向配置される固定孔部４３ｂに向けて、回転軸方向に下方に突出するピン状の部材であり、例えば円形の断面を有している。固定突起３３ｂは、水切部３３の外周よりの位置、すなわち周壁部３２に近い位置に、設けられている。
【００２６】
フランジ部３４は吐出口３１ｂの外周部において、回転軸方向及び回転軸方向から見て吸込口４１ａと吐出口３１ｂとが並ぶ方向に対して直交する所定方向の両側にそれぞれ突出する、一対の延出部３４ｂを有している。一対の延出部３４ｂは締結孔３４ａを有する。締結孔３４ａに挿入されるねじなどの締結部材を介して、フランジ部３４に吐出配管が接続される。
【００２７】
一対の連結ビーム３５は、所定の一方向に長く構成され、フランジ部３４の一対の延出部３４ｂの一方と周壁部３２の収容部３６ａの外周の水切部３３の外側に形成された締結片３７、及び延出部３４ｂの他方と吐出路部３６ｂの基端の外側に形成された締結片３７と、をそれぞれ一体に連結する。
【００２８】
凹部３６は、上壁部３１と周壁部３２と水切部３３とに囲まれ、ポンプ室２７の上半分を構成する。凹部３６は、回転軸１０ｂを中心とした平面視円形の収容部３６ａと、収容部３６ａから一方向に延出する吐出路部３６ｂと、を有する渦巻き状に構成されている。
【００２９】
凹部３６はその外周の少なくとも一部が周壁部３２によって囲まれるため、凹部４６の周縁に接合される。言い換えると、凹部３６の外周縁のうち水切部３３を除く部位、すなわち周壁部３２に沿う部位が、同じく凹部４６の外周縁のうち水切部４３を除く部位、さらに換言すると周壁部４２に沿う部位に、接合されている。
【００３０】
締結片３７は一例として中心角９０度の間隔で４箇所に形成される。各締結片３７は周壁部から外周側に突出する突起状に形成され、ボルトが螺合するねじ孔３７ａを有している。４つの締結片３７のうち、吐出路の基端部及び水切部３３の近傍に配される一対の締結片３７は、連結ビーム３５に一体に連続している。
【００３１】
下ケース体２５は、上ケース体２４の下側に対向配置されている。
【００３２】
下ケース体２５は、下壁部４１と、下壁部４１の外周縁から上方に延出される周壁部４２と、周壁部４２の一部から内方に延出する水切部４３と、周壁部４２の一部から外方に延出するフランジ部４４と、フランジ部４４と周壁部４２とを連結する一対の連結ビーム４５と、が樹脂成形により一体に形成されている。下ケース体２５は、下側に凹む第２の凹部としての凹部４６を有する。
【００３３】
下壁部４１には回転軸１０ｂを中心とした円形の開口である吸込口４１ａが形成されている。下壁部４１の下面の外周縁にはポンプを据付面に据付ける複数の脚部４１ｂが設けられている。
【００３４】
周壁部４２の外形は、上ケース体２４の周壁部３２と同形状に構成され、周壁部３２に接合されている。
【００３５】
周壁部４２の外周面の複数箇所に、例えばボルト等の締結部材によって締結片３７とともにケーシングカバー２３に締結される締結片４７が一体に設けられている。
【００３６】
水切部４３は、凹部４６の外周に配され、周壁２５ｂの一部から吸込口と吐出口の間のボリュートの巻初めの位置に向けて突出する三角形状に構成されている。水切部４３は上に凸となる段差を有するとともに嵌合部３３ａ内に嵌合する第２の嵌合部としての嵌合部４３ａを有する。
【００３７】
嵌合部４３ａは上ケース体２４と重ね合わされる第２の合わせ面である第２の合わせ面Ｆ２を有している。第２の合わせ面Ｆ２は第１の合わせ面Ｆ１に倣う凹凸形状を有し、軸方向に直交する三角形の平面状の上面部とその上面部の外周縁から下方に湾曲する曲面状の外周面とを連続して有する。嵌合部３３ａ，４３ａが係合し、第２の合わせ面Ｆ２が第１の合わせ面Ｆ１の下に対向して重ねられ、水切部３３，４３の間で水が流れないように閉塞している。第２の合わせ面Ｆ２には第２の固定部としての固定孔部４３ｂが形成されている。
【００３８】
固定孔部４３ｂは、対向配置される固定突起３３ｂの固定ピンが挿入される孔部であり、例えば円形に形成されている。固定孔部４３ｂは水切部４３の外周よりの位置、すなわち周壁部４２に近い位置に、設けられている。固定孔部４３ｂの内周縁部は、固定突起３３ｂの外周面に溶着されている。
【００３９】
フランジ部４４は吐出路の先端部である吐出部の外周において、平面視において吐出口３１ｂと吸込口４１ａが並ぶ方向及び回転軸方向に直交する所定方向の両側に突出するとともに締結孔４４ａを有する一対の延出部４４ｂを有している。
【００４０】
一対の連結ビーム４５は、所定の一方向に長いプレート状に構成され、フランジ部４４の一対の延出部４４ｂと周壁部４２の収容部の外周の水切部４３の外側、吐出路部４６ｂの基端の外側にそれぞれ形成された一対の締結部２５ｌとをそれぞれ連結する。
【００４１】
凹部４６は下壁部４１と周壁部４２と水切部４３とに囲まれ、ポンプ室２７の下半分を構成する。凹部４６は回転軸１０ｂを中心とした平面視円形の収容部４６ａと収容部４６ａから一方向に延出する吐出路部４６ｂを有する渦巻き形状に構成されている。凹部４６はその外周の少なくとも一部が周壁部４２によって囲まれるため、凹部３６の周縁に接合される。言い換えると、凹部４６の外周縁のうち水切部４３を除く部位、すなわち周壁部４２に沿う部位が、同じく凹部３６の外周縁のうち水切部３３を除く部位、すなわち周壁部３２に沿う部位に、接合されている。
【００４２】
締結片４７は一例として中心角９０度の間隔で４箇所に形成され、締結片３７に重ねて配置される。各締結片４７は周壁部４２から外周側に突出する突起状に形成され、ボルトが挿通されるボルト孔４７ａを有している。４つの締結片４７のうち、吐出路の基端部及び水切部４３の近傍に配される一対の締結片４７は、連結ビーム４５に一体に連続している。
【００４３】
ストレーナ２６は、下ケース体２５の下側を覆うカバー壁を有している。ストレーナ２６は、下ケース体２５の下側に組付けられる。
【００４４】
ポンプケーシング２２は、上ケース体２４と下ケース体２５とが対向して組付けられて構成される。例えばポンプケーシング２２の製造方法は、上ケース体２４と下ケース体２５を位置決めして組付ける組付け工程と、上ケース体２４と下ケース体２５の所定箇所を溶着することにより密閉する工程と、を備える。
【００４５】
組付け工程において、上ケース体２４の周壁部３２と下ケース体２５の周壁部４２を合わせ、嵌合部３３ａ，４３ａの段差を嵌め合うことで、第１の合わせ面Ｆ１と第２の合わせ面Ｆ２が対面して位置決めされる。このとき、上ケース体２４の固定突起３３ｂを下ケース体２５の固定孔部４３ｂに挿入する。
【００４６】
次に、例えば超音波溶着により、周壁部４２，３２に沿う外周縁と、固定部とを、溶着する。このとき、超音波溶着のホーンを、裏側、すなわち下ケース体２５側から、下方に突出する固定突起３３ｂが配される固定孔部４３ｂの内縁部分に当て、超音波を付与することで、固定突起３３ｂの外周面と固定孔部４３ｂの縁部とを超音波溶着により接合する。固定突起３３ｂ及び固定孔部４３ｂはそれぞれ水切部３３、４３のうちの周壁部３２，４２に近い位置に配置されていることから、周壁部３２，４２同士の超音波付与処理の処理過程で、固定突起３３ｂ及び固定孔部４３ｂの溶着を実現できる。
【００４７】
このように構成されたポンプ装置１は、電力が供給されることで、モータ１０が駆動される。モータ１０は、回転子に固定された回転軸１０ｂを回転させる。回転軸１０ｂの回転により、ポンプ部１２のインペラ２１が回転する。そしてポンプケーシング２２及びインペラ２１により汚水を圧送し、ポンプ装置１の二次側へ移送することが可能となる。インペラ２１の回転により、吸込口４１ａから吸い込まれた水が、増圧され、吐出口３１ｂから吐出される。
【００４８】
本実施形態のポンプ装置１では、上ケース体２４と下ケース体２５の嵌合部３３ａ、４３ａに固定突起３３ｂ及び固定孔部４３ｂをそれぞれ設け、固定突起３３ｂ及び固定孔部４３ｂを固定することにより、一対のケース体２４，２５の接合強度を向上できる。したがって、上ケース体２４と下ケース体２５との間に隙間ができることを防止することができ、逆流を抑制できる。例えば本実施形態においては、特に圧力差により変形しやすいボリュートの巻初めの位置において、接合強度を向上することができる。上記実施形態によれば、ポンプ室の外縁とケース体２４，２５の周縁の形状が異なる場合に、固定部を設けることで、樹脂成形により一対のケース体２４，２５で、ケース体２４，２５の外形及び溶着の経路を単純な形状としながら、アンダーカット部のある渦巻き状のポンプ室２７の外周を強固に接合することが可能となる。
【００４９】
また、上記実施形態におけるポンプ装置１において、上下の嵌合部３３ａ，４３は上に凸となる段差を有する形状としたことにより、ケース体２４，２５間の水が重力により外部に排出されやすい構成とすることができる。したがって、例えば試運転の後に梱包するような状況においても、水切部３３，４３に水が溜まるのを防止できる。
【００５０】
また、上ケース体２４の第１の合わせ面Ｆ１から下方に突出する固定突起３３ｂを下ケース体２５に形成された固定孔部４３ｂに挿入して溶着する構造としたことで、周壁部３２，４２の溶着の際と同じ下側からホーンを当てることができる。したがって、周壁部３２，４２の溶着処理と同様の処理過程において固定突起３３ｂ及び固定孔部４３ｂの周囲に超音波処理を施して溶着をすることができる。また、固定突起３３ｂ及び固定孔部４３ｂの位置を、溶着部である周壁部３２，４２に近い位置に配したことで、レーザー溶着の際の工具を当てる処理位置が近くなり、周壁部３２，４２の溶着処理と、固定突起３３ｂと固定孔部４３ｂとを１つの処理工程にて近い位置で溶着することが可能であり製造工程上の効率がよい。
【００５１】
また、固定突起３３ｂや固定孔部４３ｂは、樹脂成型により上ケース体２４及び下ケース体２５を形成する処理工程にて一体に形成できるため、製造工程を追加する必要がなく、低コストで強固な接合構造を実現できる。
【００５２】
なお、本発明は上記各実施形態そのままに限定されるものではなく、実施段階ではその要旨を逸脱しない範囲で構成要素を変形して具体化できる。
【００５３】
例えば、上記実施形態において、固定部としての固定突起３３ｂと固定孔部４３ｂとを溶着して固定する構成を例示したがこれに限られるものではない。例えばタッピンねじ等のケース体２４，２５とは別体の締結部材により締結されて固定される構成であってもよい。また、さらにシール材や充填材等のシーリング材を用いて接合することで密閉性を向上することも可能である。また、上記実施形態とは反対に、固定突起３３ｂが下ケース体２５に、固定孔部４３ｂが上ケース体２４に、それぞれ設けられていてもよい。さらに固定突起３３ｂ及び固定孔部４３ｂがそれぞれ複数個設けられていてもよい。
【００５４】
また固定部としての固定突起３３ｂ及び固定孔部４３ｂの配置も上記に限られるものではない。例えば固定突起３３ｂ及び固定孔部４３ｂの位置を、溶着部である周壁部３２，４２から遠い、水切部３３，４３の内側の先端部としてもよい。この場合には、水切部３３，４３の内側の端部で安定的に固定できるため、より強固に固定できる。
【００５５】
この他、上記実施形態に例示された各構成要素を削除してもよく、各構成要素の形状、構造、材質等を変更してもよい。上記実施形態に開示されている複数の構成要素の適宜な組み合わせにより、種々の発明を形成できる。
【符号の説明】
【００５６】
１…ポンプ装置、１０…モータ、１０ａ…モータケーシング、１０ｂ…回転軸、１１…軸封装置、１２…ポンプ部、２１…インペラ、２１ａ…シュラウド、２１ｂ…羽根、２２…ポンプケーシング、２３…ケーシングカバー、２３ａ…開口、２３ｂ…カバー壁、２３ｃ…周壁部、２４…上ケース体、２５…下ケース体、２５ｂ…周壁、２５ｌ…締結部、２６…ストレーナ、２７…ポンプ室、２７ａ…インペラ収容部、２７ｂ…吐出路部、３１…上壁部、３１ａ…インペラ開口部、３１ｂ…吐出口、３２…周壁部、３３…水切部、３３ａ…嵌合部、３３ｂ…固定突起、３４…フランジ部、３４ａ…締結孔、３４ｂ…延出部、３５…連結ビーム、３６…凹部、３６ａ…収容部、３６ｂ…吐出路部、３７…締結片、３７ａ…ねじ孔、４１…下壁部、４１ａ…吸込口、４１ｂ…脚部、４２…周壁部、４３…水切部、４３ａ…嵌合部、４３ｂ…固定孔部、４４…フランジ部、４４ａ…締結孔、４４ｂ…延出部、４５…連結ビーム、４６…凹部、４６ａ…収容部、４６ｂ…吐出路部、４７…締結片、４７ａ…ボルト孔、Ｆ１…第１の合わせ面、Ｆ２…第２の合わせ面。
【図１】
2020002893.tif 000003
【図２】
2020002893.tif 000004
【図３】
2020002893.tif 000005
【図４】
2020002893.tif 000006
【図５】
2020002893.tif 000007
【図６】
2020002893.tif 000008
【図７】
2020002893.tif 000009